(57)【要約】【課題】原稿読み取りの画像品質劣化に対し有利で、照明光を導くための光路の確保を読取光路に配置する必要がなく、反射材の省スペース化、コスト削減が図れるようにする。 【解決手段】ＬＥＤ６から発する光束を回転放物面鏡でほぼ平行光束にして出力し、集光レンズ７、照明レンズ８をほぼ平行に通過する光束とし、統合レンズ９はレンズの中心部から外した部分を用い、光源であるＬＥＤ６、集光レンズ７、照明レンズ８、統合レンズ９を一つのユニットとして結像レンズ３の横に置けるようにする。この照明装置１１から発せられた照明光Ｌはミラー１２に反射し、コンタクトガラス５上の読取領域を均一に照明する。その反射光を第１の読取ミラー１３、第２、第３のミラー１４、１５で反射させ、レンズ１６によってＣＣＤ１７に結像させて１次元の読み取りを行う。照明装置１１は読取光路外に配置する。【選択図】図５
2008172302.tif 000002
【特許請求の範囲】
【請求項１】
光源により照明した原稿からの反射光を結像レンズで撮像素子に結像させ、前記原稿の画像を一次元的に読み取り、これを走査することによって２次元の画像を読み取る画像読取装置に用いられる光源ユニットにおいて、少なくとも複数の照明レンズを備え、これら照明レンズにより前記光源から発する光束を複数に分割し、該分割された複数の光束をひとつの面上で重畳するようにしてなることを特徴とする光源ユニット。
【請求項２】
請求項１の光源ユニットと、照明装置を搭載し、撮像素子、結像レンズ、反射ミラー等と前記照明装置を同一の走行体に装着し、該走行体を副走査方向に走行させて２次元の画像を読み取ることができる読取部品からなる読取ユニットにおいて、前記照明装置、原稿照明光路を読取ユニット光路外に配置したことを特徴とする読取ユニット。
【請求項３】
請求項２の読取ユニットにおいて、読取ユニット光路外に配置した前記照明装置からの照明光の一部を、原稿面から第１の反射ミラーの間で前記読取ユニット光路を挟んで原稿面に照射することを特徴とする読取ユニット。
【請求項４】
請求項２または３の読取ユニットにおいて、前記照明装置からの照明光を主走査方向である読取ライン方向としたことを特徴とする読取ユニット。
【請求項５】
請求項４の読取ユニットにおいて、前記重畳させる照明を行う前記照明装置を少なくとも１つ以上の群として構成したことを特徴とする読取ユニット。
【請求項６】
請求項５の読取ユニットにおいて、前記各群での光源個数が異なることを特徴とする読取ユニット。
【請求項７】
請求項５または６の読取ユニットにおいて、群単位での配列ピッチを、前記光源から原稿読取面までの距離より小さくしたことを特徴とする読取ユニット。
【請求項８】
請求項２から７のいずれかの読取ユニットにおいて、前記照明装置を読取ユニットケースの上蓋に備えたことを特徴とする読取ユニット。
【請求項９】
請求項９の読取ユニットにおいて、前記照明装置を前記上蓋に取り付ける係合部を設けたことを特徴とする読取ユニット。
【請求項１０】
請求項９の読取ユニットにおいて、前記照明装置を取り付ける係合部を前記上蓋以外のケース部分に設けたことを特徴とする読取ユニット。
【請求項１１】
請求項９または１０の読取ユニットにおいて、前記照明装置を前記上蓋とそれ以外のケース部分の間に挟むように設けたことを特徴とする読取ユニット。
【請求項１２】
請求項８から１１のいずれかの読取ユニットにおいて、前記上蓋とケースを光透過のない部材で構成したことを特徴とする読取ユニット。
【請求項１３】
請求項１２の読取ユニットにおいて、前記上蓋とケースを成型可能な樹脂材で構成したことを特徴とする読取ユニット。
【請求項１４】
請求項２から１３のいずれかの読取ユニットを備えたことを特徴とする原稿読取装置。
【請求項１５】
請求項２から１３のいずれかの読取ユニットまたは請求項１４の原稿読取装置を備えたことを特徴とする画像形成装置。
【発明の詳細な説明】
【技術分野】
【０００１】
本発明は、デジタルＰＰＣなどに搭載されている、固体撮像素子と結像レンズ、照明装置を搭載した縮小光学系の画像読取装置のための照明装置、これを搭載したフィルムスキャナ、ブック原稿などのスキャナ、特にその原稿台上面の構成等々、光源ユニット、読取ユニット、これを備えた画像読取装置や画像形成装置に関する。
【背景技術】
【０００２】
これら各種装置については、光源ユニットについて種々改良技術が提案されており、例えば特許文献１には、リフレクタと光源に対して、リフレクタを排除し、光源を原稿面から遠くに固定して配置することで、フレア現象を減らすことを主眼とし、さらに走行体と異なる部位に光源を設け、リフレクタの排除によるコストダウンを図るとする技術が開示されている。
【０００３】
また特許文献２においては、作動ミラー方式に限定しているが、撮像素子の上下側に光源を配置して、撮像素子の結像光学系を共用しながら、原稿面そばに設置した専用ミラーを用いて読取位置を照明する技術が開示されている。
【０００４】
さらに特許文献３においては、ハーフミラーを用いて撮像素子と光源が結像光学系を共用することで、同一位置に読取、照明する構成を取る技術が開示されている。
【０００５】
またさらに特許文献４においては、サイドリフレクタを用いることなく、画像読取面での光量低下を防止できるようにした画像読取装置が提案されている。
【０００６】
【特許文献１】特開２０００−２５３２１３号公報
【特許文献２】特開平１０−１９０９９０号公報
【特許文献３】特開平９−５１４０５号公報
【特許文献４】特開２０００−２５０１４６号公報
【発明の開示】
【発明が解決しようとする課題】
【０００７】
前記特許文献１において開示されている技術では、リフレクタを排除し、光源を原稿面傍から離した構成を実現したことで、低コスト、フレア現象の低減による高画質読取、小形化を達成しているが、以下のような問題が発生し、もしくは残っている。
【０００８】
特許文献１、２、４の技術に関しては、
・読取光軸と照明光軸がほぼ同じで、原稿に対して垂直であるため、原稿の光沢によって読み取り値が変化してしまい（少なくとも法線との成す角度について規定されていない）、
・第１、２キャリッジが走査することによって、２次元の原稿画像を読み取る際、各ミラー位置が順次変化するので、照明光は、原稿を走査するにしたがって原稿面に到達する位置が変動してしまい、読取画像で明るさの変動が出るなど、高品位な画像読み取りができない、
という問題がある。
【０００９】
特許文献３の技術に関しては、
・ハーフミラーを用いる事によってコストアップになり、さらに照明光がハーフミラーによって出射時および入射時にそれぞれ１／２倍となり、最終的に１／４倍しか有効照明光量が得られず、大きなエネルギーロスとなるだけでなく、ハーフミラーからレンズ方向に射出した照明光がレンズ表面で反射して撮像素子に入射することが避けられず、フレア光が常時発生することによって十分な画像読取におけるＳＮ比が得づらくなる、
という問題がある。
【００１０】
製品レベルで述べれば、冷陰極管である幅で照明してあって、紙面奥行き方向に展開している読取領域の画像を結像レンズで一次元撮像素子（例えばＣＣＤ）上に縮小結像させ、１次元の画像情報を得るようにし、それら全体を走行体に搭載させて、逐次１次元画像を取得しながら、紙面奥行き方向と直角方向に走行させて２次元の画像を得る方法が知られている。なお、このような装置では、読取光路を複数のミラーで複数回折り曲げて走行体をコンパクトにしてあることが多い。この照明方法は、読取領域により有効に光束を当てようと開口部を狭くしたり、漏れた光束を反射鏡で折り曲げたりしているが、どうしても光束が発散してしまい、有効に読取領域に照射されている光束は光源で発光する光束の１％以下となっているのが実体である。
【００１１】
上述の従来の特許や製品は、基本的には以下のアイデアがベースとなっている。
すなわち、結像レンズと、撮像素子の間に（微小な）線光源を設置し、結像レンズは、原稿面の光を撮像素子上に結像させると同時に、線光源の光を、原稿面の撮像素子読取領域に集光させる働きもしている。
【００１２】
この構成では、以下の利点がある。
１．照明光と、読取光が完全に同一光学系なので、原稿面までの光学系（ミラーなど）が変動しても、両者の位置関係が崩れることが無く、安定して画像読取することができる。
２．照明光のほとんどを読み取り領域に集めることができるため、無駄な光が発生せず、結果的に省エネが達成できる。
３．原稿面そばにランプやリフレクタを設置する必要が無いため、スキャナ本体の高さを低くすることができる。
【００１３】
ただし、以下の欠点もある。
１．素子と、結像レンズの間に（微小な）線光源（ランプ）を設置するため、撮像素子の視野を一部ランプがさえぎることになり、ＭＴＦなどの画像品質が劣化する。
２．光源から発射された光の一部が撮像素子に直接、または間接的に戻ってしまい、フレア光として、読取画像品質の劣化を招く。
３．光源から発する光量の利用効率を十分に上げたとは言えない。
【００１４】
このような欠点を排除した方法として種々の技術が提案されているが、例えば、照明光を読取光と同一光学系としたために、装置として使用中に塵や埃が付着した場合に照明光がその塵や埃で乱反射されフレア光として直接読取レンズに入ってしまいＣＣＤに原稿面の画像光に重畳されてしまうと言う技術が提案されている。
【００１５】
しかしながら、これら既に提案されている技術では、作動ミラー方式の読取方法しか適用がなかったり、光学モジュール構成であるものの読取光路中に重畳照明装置を配置構成しており、原稿読み取りにおける画像品質劣化（一例をあげると、フレア光における画像ノイズ）に対し不利である等の問題があった。
【００１６】
そこで本発明は、読取系、照明系同一走行体装着への搭載と、ＣＣＤ−原稿面の光路外から照明照射により、原稿読み取りにおける画像品質劣化に対し有利なものとし、また照明光を導くための光路の確保を読取光路に配置する必要がなく、反射材の省スペース化、コスト削減が図れ、さらには、種々の熱源に対して距離を確保でき、光源等の熱的ストレス緩和を図った画像形成装置を提供することを目的とする。
【課題を解決するための手段】
【００１７】
本発明の請求項１に係る光源ユニットは、光源により照明した原稿からの反射光を結像レンズで撮像素子に結像させ、前記原稿の画像を一次元的に読み取り、これを走査することによって２次元の画像を読み取る画像読取装置に用いられる光源ユニットにおいて、少なくとも複数の照明レンズを備え、これら照明レンズにより前記光源から発する光束を複数に分割し、該分割された複数の光束をひとつの面上で重畳するようにしてなることを特徴とする。
【００１８】
本発明の請求項２に係る読取ユニットは、請求項１の光源ユニットと、照明装置を搭載し、撮像素子、結像レンズ、反射ミラー等と前記照明装置を同一の走行体に装着し、該走行体を副走査方向に走行させて２次元の画像を読み取ることができる読取部品からなる読取ユニットにおいて、前記照明装置、原稿照明光路を読取ユニット光路外に配置したことを特徴とする。
【００１９】
請求項３に係るものは、請求項２の読取ユニットにおいて、読取ユニット光路外に配置した前記照明装置からの照明光の一部を、原稿面から第１の反射ミラーの間で前記読取ユニット光路を挟んで原稿面に照射することを特徴とする。
【００２０】
請求項４に係るものは、請求項２または３の読取ユニットにおいて、前記照明装置からの照明光を主走査方向である読取ライン方向としたことを特徴とする。
【００２１】
請求項５に係るものは、請求項４の読取ユニットにおいて、前記重畳させる照明を行う前記照明装置を少なくとも１つ以上の群として構成したことを特徴とする。
【００２２】
請求項６に係るものは、請求項５の読取ユニットにおいて、前記各群での光源個数が異なることを特徴とする。
【００２３】
請求項７に係るものは、請求項５または６の読取ユニットにおいて、群単位での配列ピッチを、前記光源から原稿読取面までの距離より小さくしたことを特徴とする。
【００２４】
請求項８に係るもの置は、請求項２から７のいずれかの読取ユニットにおいて、前記照明装置を読取ユニットケースの上蓋に備えたことを特徴とする。
【００２５】
請求項９に係るものは、請求項９の読取ユニットにおいて、前記照明装置を前記上蓋に取り付ける係合部を設けたことを特徴とする。
【００２６】
請求項１０に係るものは、請求項９の読取ユニットにおいて、前記照明装置を取り付ける係合部を前記上蓋以外のケース部分に設けたことを特徴とする。
【００２７】
請求項１１に係るものは、請求項９または１０の読取ユニットにおいて、前記照明装置を前記上蓋とそれ以外のケース部分の間に挟むように設けたことを特徴とする。
【００２８】
請求項１２に係るものは、請求項８から１１のいずれかの読取ユニットにおいて、前記上蓋とケースを光透過のない部材で構成したことを特徴とする。
【００２９】
請求項１３に係るものは、請求項１２の読取ユニットにおいて、前記上蓋とケースを成型可能な樹脂材で構成したことを特徴とする。
【００３０】
本発明の請求項１４に係る原稿読取装置は、請求項２から１３のいずれかの読取ユニットを備えたことを特徴とする。
【００３１】
本発明の請求項１５に係る画像形成装置は、請求項２から１３のいずれかの読取ユニットまたは請求項１４の原稿読取装置を備えたことを特徴とする。
【発明の効果】
【００３２】
本発明は、原稿読み取りにおける画像品質劣化に対し有利なものとなり、また省スペース化、コスト削減が図れ、さらに装置内の熱源に対して距離を確保でき、熱的ストレスを緩和することが可能になるという効果がある。
【発明を実施するための最良の形態】
【００３３】
以下、本発明の実施形態に関して、添付図面を参照して説明する。
【実施例】
【００３４】
図１は本発明による光源ユニット、読取ユニットを用い得る画像読取装置を備えた画像形成装置の概要を示す概略断面図である。この図において、１００は画像形成部、２００は給紙部、３００は本発明の画像読取装置からなる画像読取部、４００は原稿給紙部をそれぞれ示す。
【００３５】
原稿給紙部４００において、自動もしくは手動によって原稿を画像読取部３００の直上に送り込むと、画像読取部３００は後述するように第１キャリッジおよび第２キャリッジを所定の速度で駆動して副走査し、レンズユニットによって原稿像を図示しないセンサに取り込む。画像形成部１００は、読み取った画像の色別分解された情報を基に、複数の感光体に色分けして画像形成し、給紙部２００から送られてくる転写用紙に画像を重ね転写してフルカラーのハードコピーを作成する。
【００３６】
主走査方向の照度むらを抑えながら効率的に照明対象面を照明する概念を図２により説明する。図中１は第１の光源ユニット、２は第２の光源ユニット（配置位置の中心線のみ示し、図示は省略するが第１の光源ユニット１と同様の構成を有する）、３は複数のレンズからなるレンズ群である結像レンズ、４はＣＣＤ等の撮像素子であり、また５はコンタクトガラス、Ｄは原稿である。
【００３７】
光源ユニット１、２は、ともにＬＥＤ６を直線上に並べたものを用いている。詳細な図示は省略するが、個別のＬＥＤ６は透明樹脂で封入してあり、その後ろ側には回転放物面鏡を形成し、ＬＥＤ６から放射する光束をほぼ平行光で出力するように形成してある。この透明樹脂で作られた光学系としての焦点距離は、回転放物面鏡からＬＥＤ６の位置までの距離である。すなわち各回転放物面鏡は、その焦点位置にＬＥＤ６を置き、ＬＥＤ６で発光する光束を反射させて平行光にするようになっている。
【００３８】
ＬＥＤ６の前方側に配した集光レンズ７は、光源であるＬＥＤ６からの光束を主走査方向に分割し、そのまた前方側に位置する照明レンズ８の個別のシリンダ（レンズ）に、切り出した光束を全部透過させるために集光させるレンズである。このシリンダ（レンズ）としては、図３（Ａ）に示すような形状のシリンダ（レンズ）アレイで、図３（Ｂ）のようなシリンダ（レンズ）を並べたものである（もちろん図３（Ｃ）のようなシリンダを並べてもよい）。
【００３９】
照明レンズ８の前方側に位置するのは統合レンズ９で、集光レンズ７、照明レンズ８で分割、照射された光束を照明対象面（図の例ではコンタクトガラス５）に重畳させるためのレンズで、主光軸に関して軸対称に配置した通常のレンズである。集光レンズ７、照明レンズ８で分割された光束の光軸（副光軸と称する）を照明対象面の中心（主光軸）に合せられ、分割された光束を照明対象面上に重畳できる。
【００４０】
このように設定すると集光レンズ７の個別のシリンダのサイズの像が照明対象面上での大きさに投影され、シリンダアレイの個々のシリンダの幅を通過した光束は全部照明対象面に届く（このシリンダからの個々の光束による照明では照度むらが激しいものとなるが、全体を重畳した結果、平坦となる）。
【００４１】
次に主走査方向と直角の方向（副走査方向）の照明概念を図４正面図で説明する。
記述のように透明樹脂で封入されたＬＥＤ６から発する光束は、後端に配した回転放物面鏡１０でほぼ平行光束にされて出力される。集光レンズ７と照明レンズ８はこの視点では平行平板と同様の振る舞いとなるので、先にほぼ平行となった光束はほとんど影響を受けずにそこを平行光のまま通過する。
【００４２】
図２に示すように統合レンズ９はレンズの中心部から外した部分を用いている。このようにすると、光源であるＬＥＤ６、集光レンズ７、照明レンズ８、統合レンズ９を一つのユニットとしてまとめて結像レンズ３の横に置くことができるためであり、このユニットを一つの照明装置として扱うことができる。
【００４３】
図５は読取ユニットの構成を示す概念図である。上述のような照明装置１１から発せられた照明光Ｌはミラー１２に反射し、コンタクトガラス５上の読取領域を均一に照明する。例えばその読取領域に原稿が載っていれば、その原稿面によって読取光軸Ｒに沿う反射光が生じるので、その反射光を第１の読取ミラー１３で反射した後、第２、第３のミラー１４、１５で２度ずつ反射させ、レンズ１６によってＣＣＤ１７に結像させて１次元の読み取りを行う。この時、照明装置１１は読取光路外に配置されている。
【００４４】
すなわち、読取系、照明系を同一走行体へ装着して搭載し、ＣＣＤ−原稿面の光路外から照明光を照射するものとしている。すなわち、光源により照明した原稿からの反射光を結像レンズで撮像素子に結像させ、原稿の画像を一次元的に読み取り、これを走査することによって２次元の画像を読み取る画像読取装置に用いられる構成部品となり、少なくとも複数の照明レンズを持ち、これら照明レンズにより光源から発する光束を複数に分割し、分割された複数の光束を原稿面上で重畳するようにした照明装置とし、撮像素子、結像レンズ、反射ミラー等と照明装置を同一走行体に装着し、この走行体を副走査方向に走行させて２次元の画像を読み取ることができる読取部品（スキャナモジュール）を読取ユニットとして用いる構成において、照明装置、原稿照明光路を読取ユニットの光路外に配置したことで、原稿読み取りにおける画像品質劣化、一例をあげればフレア光における画像ノイズに対し有利に構成できる。また、照明光を導くための光路の確保を読取光路に配置する必要がないので、反射材の省スペース化とそれによるコスト削減が図れる。さらに、スキャナモジュール内部の上面側に光源を配置することで、ＣＣＤ等の撮像素子の基板等、ユニット内に存在する熱源に対して距離を確保でき、光源、撮像素子の基板共に熱的ストレスが緩和される。
【００４５】
図６は両側照明の読取ユニットの構成を示す概念図である。照明光Ｌはミラー１２ａによって下側半分が１方向からコンタクトガラス５上の原稿面（図示せず）に照射され、ミラー１２ｂによって他方から照射され、照明光が２分割されて読取光軸Ｒの両側から照明光が照射されている。
【００４６】
すなわち、照明装置、原稿照明光路を読取ユニット光路外に配置し、照明量の一部を原稿面から原稿面から第１の反射ミラー間で読取ユニット光路を挟んで原稿面を照射することで、原稿読み取りにおける画像品質劣化、例えばやはりフレア光における画像ノイズに対し有利になり、原稿の反射特性に左右される反射フレア影響も少なくなる。原稿面から第１の反射ミラー間で読取ユニット光路を挟み、原稿面を照射することは、原稿の段差、一例を挙げるブック原稿の綴じ部の浮き部の影、重ね合わせ原稿の縁の影が映りにくくなる。
【００４７】
図７は２分割照明装置の構成例を示す概念図である。図２に示した照明装置１１を１つの群として光源ユニットとし、主走査方向に対して複数の光源ユニットを配置している。図７では２つの群、すなわち２つの光源ユニット１１ａ、１１ｂを配置してコンタクトガラス５上の読取領域を照射するようにしてある。この時、２つの光源ユニット１１ａ、１１ｂからの２つの照明光Ｌａ、Ｌｂは主走査方向に重なりを持って照射される部分が生じる。すなわち、光源ユニットを群単位で配列する構成とし、重畳照明を少なくとも１つ以上の群として構成したことで、群の配列、配置により原稿面光量を任意に調整でき、照明リプル（照明ムラ）を抑制できる。
【００４８】
図８は３分割不均等照明装置の構成例を示す概念図である。この例では３分割した群（光源ユニット１１ａ、１１ｂ、１１ｃ）を用いている。中央の光源ユニット１１ｃに対して、その両側に光源ユニット１１ａ、１１ｂを対象位置に置き、全部で３つの光源ユニットの群で構成してある。なお光源ユニット１１ｃのＬＥＤ６の数は光源ユニット１１ａ、１１ｂよりも少なくしてあって、３つの照明光Ｌａ、Ｌｂ、Ｌｃによる原稿面照度は、図９に示すように、主走査方向の中央部分が暗い照明分布になっている。これにより周辺光量不足（読取用のレンズ１６のｃｏｓ４乗則による）が解消される。
【００４９】
すなわち、光源ユニットを群単位で配列する構成とし、重畳照明を少なくとも１つ以上の群として構成したことで、群の配列、配置により原稿面光量を任意に調整でき、照明リプル（照明ムラ）を抑制できる。また、重畳照明を少なくとも１つ以上の群として構成し、各群での光源個数が異ならせ、重畳照明を少なくとも１つ以上の群として構成したことで、群の配列、配置及び構成光源個数により原稿面光量を任意に調整でき、照明リプルを抑制できる。
【００５０】
図１０は、小ピッチ群照明の構成を示す例を示す概念図である。この例では、３分割された群（光源ユニット１１ａ、１１ｂ、１１ｃ）はコンタクトガラス５の表面で重畳して照明している。このときの３つの群の間隔（ピッチ）を［Ｐ］で表し、光源ユニット１１ａ、１１ｂ、１１ｃから原稿面、すなわちコンタクトガラス５の表面までの距離を［Ｓ］で表した時、Ｐ＜Ｓの関係となるように光源ユニット１１ａ、１１ｂ、１１ｃを配置している。
【００５１】
図１１は、図６と同様の構成の読取ユニットであるが、そのケース３０を上下に二分して上部ケースを上蓋３１として下部ケース３２上に搭載した構造とし、光源ユニット１１を上蓋３１に固定している例を示す。上蓋３１は読取光軸Ｒに対応する部位を窓開口３１ａとして照明と読取に使うようにしてある。光源を含むモジュールを上蓋に搭載することで組立工数の簡略化に貢献できる。
【００５２】
すなわち重畳照明を少なくとも１つ以上の群として構成し、各群配置ピッチは光源−原稿読取りまでの距離より小さくすることで、原稿面での各照明群及び各光源からの光ウエイトが原稿面で重畳する再に均等に近づくので、群及び光源を分割重畳させる個数ピッチに関係させて配置することでも、照明リプルを抑制できる。
【００５３】
図１２は、図１１の構造を具体的に示した斜視図である。読取ユニットの上蓋３１と下構造体をなす下部ケース３２の合わせ部分に、それぞれ穴３３とフック３４を設け、組み立てる際に両者を嵌着、係合させるように構成してある。これにより組立が簡便となり、組立工数を削減できる。また構造体である上蓋３１と下部ケース３２の固定にねじを使わないので、部品点数削減及びコストダウンを図り得る。さらに、モジュール内部の上側に光源を配置するのでＣＣＤの基板などの熱源に対して距離を確保でき、光源、基板共に熱的ストレスが緩和される。また照明装置の配置精度がＣＣＤ等を備えて配置したモジュールとの相対位置が高精度に決まる。
【００５４】
図１３は既述のようにユニット化した光源ユニットを上蓋３１と下部ケース３２の合わせ部分に挟んで設けてある構造を示す概念的断面図である。図示は省略するが、光源ユニット１１をなす構造体の周縁には各方向に突起が設けてあり、読取ユニットの上蓋３１と下構造体をなす下部ケース３２の合わせ部分で挟んで固定してある。もちろん、その他の固定構造であっても良い。この例でも、光源やＣＣＤの基板共に熱的ストレスが緩和される。
【００５５】
なお、読取ユニットを構成する素材を光透過のないものとし、かつ成型可能な樹脂材等で構成すれば、量産性に富んだ成型加工が行え、突起、リブ形状など設けることで、原稿読み取りにおける画像品質劣化に対しも有利となり、また密封性の確保にも優れたものになる。
【００５６】
またなお、上述の装置、ユニットを画像読取装置、画像形成装置に採用すれば、もちろん高精度な画像の読取が可能となり、また高精度の画像形成に対する入力情報を高精度に保つことが可能となる。
【図面の簡単な説明】
【００５７】
【図１】本発明による光源ユニット、読取ユニットを用い得る画像読取装置を備えた画像形成装置の概要を示す概略断面図
【図２】主走査方向の照度むらを抑えながら効率的に照明対象面を照明する概念を示す図
【図３】各種シリンダ（レンズ）を示す図
【図４】主走査方向と直角の方向（副走査方向）の照明概念を示す図
【図５】読取ユニットの構成を示す概念図
【図６】両側照明の読取ユニットの構成を示す概念図
【図７】２分割照明装置の構成例を示す概念図
【図８】３分割不均等照明装置の構成例を示す概念図
【図９】図８の構成例の照明分布を示す図
【図１０】小ピッチ群照明の構成を示す例を示す概念図
【図１１】読取ユニットのケースを上下に二分して上部ケースを上蓋とした構造例を示す図
【図１２】図１１の構造を具体的に示した斜視図
【図１３】ユニット化した光源ユニットを上蓋と下部ケースの合わせ部分に挟んで設けてある構造を示す概念的断面図
【符号の説明】
【００５８】
１：第１の光源ユニット
２：第２の光源ユニット
３：結像レンズ
４：撮像素子
５：コンタクトガラス
６：ＬＥＤ
７：集光レンズ
８：照明レンズ
９：統合レンズ
１０：回転放物面鏡
１１：照明装置
１１ａ、１１ｂ、１１ｃ：光源ユニット
１２、１２ａ、１２ｂ：ミラー
１３：第１の読取ミラー
１４：第２のミラー
１５：第３のミラー
１６：レンズ
１７：ＣＣＤ
３０：読取ユニットのケース
３１：上蓋
３２：下部ケース
３１ａ：窓開口
３３：穴
３４：フック
１００：画像形成部
２００：給紙部
３００：画像読取部
４００：原稿給紙部
Ｄ：原稿
Ｌ、Ｌａ、Ｌｂ、Ｌｃ：照明光
Ｐ：群の間隔（ピッチ）
Ｒ：読取光軸
Ｓ：光源ユニットから原稿面までの距離
【図１】
2008172302.tif 000003
【図２】
2008172302.tif 000004
【図３】
2008172302.tif 000005
【図４】
2008172302.tif 000006
【図５】
2008172302.tif 000007
【図６】
2008172302.tif 000008
【図７】
2008172302.tif 000009
【図８】
2008172302.tif 000010
【図９】
2008172302.tif 000011
【図１０】
2008172302.tif 000012
【図１１】
2008172302.tif 000013
【図１２】
2008172302.tif 000014
【図１３】
2008172302.tif 000015